(57)【要約】【課題】流路内に発生する水撃または脈動を減衰低減させる水撃防止装置１において、減衰性能を高めることができ、これに加えて、設置スペースを縮小することができる水撃防止装置１を提供する。【解決手段】流路２における上流側流路２Ａに連通する入力口６および下流側流路２Ｂに連通する出力口７を設けたケース４と、ケース４の内部に伸縮自在に配置されるとともに内部にガス１１を封入した金属ベローズ９と、ケース４の内部であって入力口６および出力口７を連通するように設定され、かつ金属ベローズ９の外周側または内周側を通るように設定された流体通路１２とを有し、流体主流路の途中に直接設置されることを特徴とする。【選択図】図１
2006194367.tif 000002
【特許請求の範囲】
【請求項１】
流路（２）内に発生する水撃または脈動を減衰低減させる水撃防止装置（１）であって、
前記流路（２）における上流側流路（２Ａ）に連通する入力口（６）および下流側流路（２Ｂ）に連通する出力口（７）を設けたケース（４）と、前記ケース（４）の内部に伸縮自在に配置されるとともに内部にガス（１１）を封入した金属ベローズ（９）と、前記ケース（４）の内部であって前記入力口（６）および出力口（７）を連通するように設定され、かつ前記金属ベローズ（９）の外周側または内周側を通るように設定された流体通路（１２）と、を有することを特徴とする水撃防止装置。
【請求項２】
請求項１の水撃防止装置（１）において、
直線状に貫通形成した内部空間（５）の一端に入力口（６）を設けるとともに他端に出力口（７）を設けたケース（４）と、前記ケース（４）の内部空間（５）を入力口側空間（５ａ）と出力口側空間（５ｂ）とに仕切るように設けられたベローズ保持部（８）と、前記ベローズ保持部（８）に一端を保持されるとともに他端を遊動端（９ａ）とした金属ベローズ（９）と、前記金属ベローズ（９）の遊動端（９ａ）を閉塞したベローズプレート（１０）と、前記金属ベローズ（９）の外周側に設定された環状の流体通路（１２）と、前記入力口（６）および流体通路（１２）を連通させるように前記ベローズ保持部（８）に設けられた連通部（８ａ）と、を有し、
前記入力口（６）、内部空間（５）、出力口（７）、ベローズ保持部（８）、金属ベローズ（９）、ベローズプレート（１０）、連通部（８ａ）および流体通路（１２）は、同一中心軸線上に配置されていることを特徴とする水撃防止装置。
【請求項３】
請求項１の水撃防止装置（１）において、
直線状に貫通形成した内部空間（５）の一端に入力口（６）を設けるとともに他端に出力口（７）を設けたケース（４）と、前記ケース（４）の内部空間（５）を入力口側空間（５ａ）と出力口側空間（５ｂ）とに仕切るように設けられたベローズ保持部（８）と、前記ベローズ保持部（８）に一端を保持されるとともに他端を遊動端（９ａ）とした外周側金属ベローズ（９Ａ）と、同じく前記ベローズ保持部（８）に一端を保持されるとともに他端を遊動端（９ａ）とした内周側金属ベローズ（９Ｂ）と、前記両金属ベローズ（９Ａ）（９Ｂ）の遊動端（９ａ）を閉塞したベローズプレート（１０）と、前記内周側金属ベローズ（９Ｂ）の内周側に設定された流体通路（１２）と、前記出力口側空間（６）および流体通路（１２）を連通させるように前記ベローズ保持部（８）に設けられた第一連通部（８ａ）と、前記流体通路（１２）および出力口（７）を連通させるように前記ベローズプレート（１０）に設けられた第二連通部（１０ａ）と、を有し、
前記入力口（６）、内部空間（５）、出力口（７）、ベローズ保持部（８）、外周側金属ベローズ（９Ａ）、内周側金属ベローズ（９Ｂ）、ベローズプレート（１０）、第一連通部（８ａ）、流体通路（１２）および第二連通部（１０ａ）は、同一中心軸線上に配置されていることを特徴とする水撃防止装置。
【請求項４】
請求項１の水撃防止装置（１）において、
当該水撃防止装置（１）は、当該水撃防止装置（１）の設置箇所にビルトイン方式にて設置されることを特徴とする水撃防止装置。
【発明の詳細な説明】
【技術分野】
【０００１】
本発明は、水道配管等の圧力配管、バルブ内またはタンク内等に設置され、これらの流路内に発生する水撃や脈動等を減衰低減させる水撃防止装置に関するものである。本発明の水撃防止装置は、流体配管、家電（洗濯機）分野、水洗バルブ等に幅広く用いられる。
【背景技術】
【０００２】
例えば、水道配管に設置した開閉弁を急激に閉弁すると、配管内に衝撃波が発生していわゆる水撃現象（ウォーターハンマー現象）が発生することがあり、この現象によって、配管に接続されている機器類あるいは弁自身が損傷してしまうことがある。したがって衝撃波は、機器類や弁等に到達する前にできるだけ早く減衰消滅させる必要がある。
【０００３】
衝撃波を減衰消滅させる手段としては、ベローズやピストンを内蔵したアキュムレータ構造の水撃防止装置を配管途中に設置するのが有効であるが、従来技術では、主配管からＴ字状に分岐した副配管の先端に水撃防止装置が設置される構造となっている（Ｔの字における横線部位を主配管とした場合、縦線部位が副配管に相当し、この縦線部位の副配管の先端に水撃防止装置が設置される。この場合、水撃防止装置は先止まりの分岐管の先端に取り付けられることになる。特許文献１参照）。したがって、主配管から副配管を介して水撃防止装置に衝撃波が伝わる構造であることから、水撃防止装置に衝撃波が伝わりにくく、よって衝撃波減衰性能が余り高くないという不都合がある。
【０００４】
また、主配管が直線状である場合には、この直線状の主配管から突起状に副配管を取り付けることとなり、その分、設置スペースを余分に必要とする。これは主配管への組込み（インライン構造）が難しかったことによる。
【０００５】
【特許文献１】特開平１０−０５４４０２号公報（図２、図８）
【発明の開示】
【発明が解決しようとする課題】
【０００６】
本発明は以上の点に鑑みて、衝撃波減衰性能を高めることができる水撃防止装置を提供することを目的とし、これに加えて、設置スペースを縮小することができる水撃防止装置を提供することを目的とする。
【課題を解決するための手段】
【０００７】
上記目的を達成するため、本発明の請求項１による水撃防止装置は、流路内に発生する水撃または脈動を減衰低減させる水撃防止装置であって、前記流路における上流側流路（当該装置よりも上流側に配置される流路）に連通する入力口および下流側流路（当該装置よりも下流側に配置される流路）に連通する出力口を設けたケースと、前記ケースの内部に伸縮自在に配置されるとともに内部にガスを封入した金属ベローズと、前記ケースの内部であって前記入力口および出力口を連通するように設定され、かつ前記金属ベローズの外周側または内周側を通るように設定された流体通路と、を有することを特徴とするものである。
【０００８】
また、本発明の請求項２による水撃防止装置は、上記した請求項１の水撃防止装置において、直線状に貫通形成した内部空間の一端に入力口を設けるとともに他端に出力口を設けたケースと、前記ケースの内部空間を入力口側空間と出力口側空間とに仕切るように設けられたベローズ保持部と、前記ベローズ保持部に一端を保持されるとともに他端を遊動端とした金属ベローズと、前記金属ベローズの遊動端を閉塞したベローズプレートと、前記金属ベローズの外周側に設定された環状の流体通路と、前記入力口および流体通路を連通させるように前記ベローズ保持部に設けられた連通部と、を有し、前記入力口、内部空間、出力口、ベローズ保持部、金属ベローズ、ベローズプレート、連通部および流体通路は、同一中心軸線上に配置されていることを特徴とするものである。
【０００９】
また、本発明の請求項３による水撃防止装置は、上記した請求項１の水撃防止装置において、直線状に貫通形成した内部空間の一端に入力口を設けるとともに他端に出力口を設けたケースと、前記ケースの内部空間を入力口側空間と出力口側空間とに仕切るように設けられたベローズ保持部と、前記ベローズ保持部に一端を保持されるとともに他端を遊動端とした外周側金属ベローズと、同じく前記ベローズ保持部に一端を保持されるとともに他端を遊動端とした内周側金属ベローズと、前記両金属ベローズの遊動端を閉塞したベローズプレートと、前記内周側金属ベローズの内周側に設定された流体通路と、前記出力口側空間および流体通路を連通させるように前記ベローズ保持部に設けられた第一連通部と、前記流体通路および出力口を連通させるように前記ベローズプレートに設けられた第二連通部と、を有し、前記入力口、内部空間、出力口、ベローズ保持部、外周側金属ベローズ、内周側金属ベローズ、ベローズプレート、第一連通部、流体通路および第二連通部は、同一中心軸線上に配置されていることを特徴とするものである。
【００１０】
更にまた、本発明の請求項４による水撃防止装置は、上記した請求項１の水撃防止装置において、当該水撃防止装置は、当該水撃防止装置の設置箇所にビルトイン方式にて設置されることを特徴とするものである。
【００１１】
上記構成を備えた本発明の各請求項による水撃防止装置は、これを圧力配管に設置する場合、圧力配管における分岐配管である副流路の先端部ではなく、主流路の途中に直接設置されることを特徴としている。
【発明の効果】
【００１２】
本発明は、以下の効果を奏する。
【００１３】
すなわち先ず、本発明の請求項１による水撃防止装置においては、ケースが設けられ、このケースに、流路における上流側流路に連通する入力口および下流側流路に連通する出力口が設けられ、この入力口および出力口を連通させるようにしてケース内部に流体通路が設けられているために、このケース内部に設けられた流体通路は、上記従来技術における分岐配管である副流路ではなく主流路の一部を構成することになり、この主流路に接するようにしてケース内部に金属ベローズが配置される。したがって本発明によれば、このように主流路に配置された金属ベローズが、同じく主流路に発生する衝撃波を直接受け止めて伸縮作動することから、金属ベローズが衝撃波を受け止めやすく、よって優れた減衰性能を発揮する水撃防止装置を提供することができる。
【００１４】
また、上記したように本発明による水撃防止装置は主流路に直接設置されるために、当該水撃防止装置を圧力配管に設置する場合、該圧力配管には分岐配管である副流路を設ける必要がない。したがってこの分、設置スペースを縮小することができる。
【００１５】
本発明の請求項２による水撃防止装置においては、その構成要素とされる入力口、内部空間、出力口、ベローズ保持部、金属ベローズ、ベローズプレート、連通部および流体通路が同一中心軸線上に配置され、特に金属ベローズの直ぐ外周側に流体通路が同一軸線上に配置されるために、構造がコンパクトであるとともに、金属ベローズの直ぐ隣を衝撃波が通過することになり、よって金属ベローズに衝撃波が作用しやすい。したがって、金属ベローズが鋭敏に反応することが可能となり、よってこの点からも、優れた減衰性能を発揮する水撃防止装置を提供することができる。
【００１６】
また、本発明の請求項３による水撃防止装置においては、その構成要素とされる入力口、内部空間、出力口、ベローズ保持部、外周側金属ベローズ、内周側金属ベローズ、ベローズプレート、第一連通部、流体通路および第二連通部が同一中心軸線上に配置され、特に内周側金属ベローズの直ぐ内周側に流体通路が同一軸線上に配置されるために、構造がコンパクトであるとともに、内周側金属ベローズの直ぐ隣を衝撃波が通過することになり、よって金属ベローズに衝撃波が作用しやすい。したがって、金属ベローズが鋭敏に反応することが可能となり、よってこの点からも、優れた減衰性能を発揮する水撃防止装置を提供することができる。
【００１７】
また、本発明の請求項４による水撃防止装置においては、当該水撃防止装置が当該水撃防止装置の設置箇所にビルトイン方式にて設置されることから、請求項１と同様、設置スペースを縮小することができる。
【発明を実施するための最良の形態】
【００１８】
尚、本発明には、以下の実施形態が含まれる。
【００１９】
構成・・・
（１）  ベローズ側面を通水させることにより、弁から発生した水撃および脈動を、主流路の流体の中で効果的に受けて減衰消滅させる。
（２）  通路中心を通すことにより圧力損失が少ない状態で弁から発生した水撃および脈動を、主流路の流体の中で減衰消滅させる。
（３）  ビルトインタイプとすることにより、配管の中に簡便に挿入でき、弁から発生した水撃および脈動を流路の流体の中で減衰消滅させる。
（４）  出力側にあるコックを閉めて流路を遮断すると、流体の運動エネルギーが圧力エネルギーに変換され、圧力波が発生する。この圧力波は配管や流体を通して遠方に伝達されるが、このエネルギーを利用してＮ２ガスが封入された金属ベローズを押し縮め、圧力波のもつエネルギーを吸収する。
【００２０】
効果・・・
上記（１）〜（４）の構成によれば、以下の効果が発揮される。
（ａ）  衝撃波を直に減衰消滅できる（衝撃・脈動吸収）。
（ｂ）  水凍結時や温度上昇時の体積膨張を吸収しやすい（熱膨張吸収）。
（ｃ）  耐腐食性に優れた金属ベローズ内にガスを充填するので、Ｎ２ガスの漏れがなく、長寿命となる。
【実施例】
【００２１】
つぎに本発明の実施例を図面にしたがって説明する。
【００２２】
第一実施例・・・
図１は、本発明の第一実施例に係る水撃防止装置１の断面を示している。当該実施例に係る水撃防止装置１は、流路の一例としての水道配管２内にて発生する水撃や脈動等の圧力変動を減衰低減させるために水道配管２に設置され、また水道配管２を開閉する開閉弁３の上流側に設置される。当該水撃防止装置１は、以下のように構成されている。
【００２３】
すなわち先ず、上記水道配管２における上流側配管（当該装置１よりも上流側の配管）２Ａに連通する入力口６および下流側配管（当該装置１よりも下流側の配管）２Ｂに連通する出力口７をそれぞれ設けたケース４が設けられており、このケース４の内部に金属ベローズ９が伸縮自在に配置されるとともに、金属ベローズ９の内部に窒素ガス等の封入ガス１１が封入されている。また、ケース４の内部に入力口６および出力口７を連通するように流体通路１２が設けられ、この流体通路１２は、金属ベローズ９の外周側であって金属ベローズ９とケース４との間を通るように環状に設けられている。
【００２４】
上記ケース４は、略円筒形に形成されていて、軸方向に直線状に貫通する内部空間５を有しており、この内部空間５の一端開口に入力口６が設けられるとともに他端開口に出力口７が設けられている。ケース４の内部には、内部空間５を入力口側空間５ａと出力口側空間５ｂとに仕切るようにプレート状のベローズ保持部８が設けられており、このベローズ保持部８の出力口側端面に金属ベローズ９の一端が保持されている。金属ベローズ９の他端は、軸方向に変位可能な遊動端９ａとされ、この遊動端９ａはベローズプレート１０により閉塞され、これにより気密化された金属ベローズ９の内部に窒素ガス等の封入ガス１１が封入されている。尚、ベローズプレート１０は金属ベローズ９と一体に成形されていても良い。また、プレート状を呈するベローズ保持部８の外周縁部には、入力口６と流体通路１２とを連通させるように切欠状の連通部８ａが設けられており、この連通部８ａは、複数が等配状に設けられている。また、ケース４の内部において出力口７側には、金属ベローズ９の伸張長さを一定長さまでに制限するためのストッパ２０が設けられており、このストッパ２０は例えば、ケース４の内周に嵌着されるＣ形止め輪等によって構成されている。
【００２５】
また、上記各構成要素にあって、入力口６、内部空間５、出力口７、ベローズ保持部８、金属ベローズ９、ベローズプレート１０、連通部８ａおよび流体通路１２は、円筒状のケース４とともに、同一中心軸線上に配置されており、これにより装置１全体のコンパクト化が実現されている。
【００２６】
上記水撃防止装置１は、上記したように水道配管２内にて発生する水撃や脈動等の圧力変動を減衰低減させるべく水道配管２の途中に設置され、かつ水道配管２を開閉する開閉弁３の上流側に設置されるものであって、開閉弁３を閉弁したときに配管２内に衝撃波が発生すると、これを受けて金属ベローズ９が伸縮動作し、これにより衝撃波を吸収する作用を果たす。
【００２７】
上記構成の水撃防止装置１においては、円筒状のケース４が設けられ、このケース４の両端に、水道配管２における上流側配管２Ａに連通する入力口６および下流側配管２Ｂに連通する出力口７がそれぞれ設けられ、この入力口６および出力口７を連通させるようにケース４の内部に流体通路１２が設けられているために、このケース４内部に設けられた流体通路１２は、上記従来技術における分岐配管である副流路ではなく主流路の一部を構成し、この主流路に接するようにして金属ベローズ９が配置されている。したがって上記構成によれば、主流路に配置された金属ベローズ９が、同じく主流路に発生する衝撃波を直接受け止めて伸縮作動するために、金属ベローズ９が衝撃波を受け止めやすく、よって優れた衝撃波減衰性能を発揮することができる。
【００２８】
また、上記したように当該装置１は主流路に直接設置されるために、水道配管２には分岐配管である副流路を設ける必要がない。したがってこの分、当該装置１および周辺配管についてその設置スペースを縮小することができる。
【００２９】
また、上記構成の水撃防止装置１においては、構成要素のうち、入力口６、内部空間５、出力口７、ベローズ保持部８、金属ベローズ９、ベローズプレート１０、連通部８ａおよび流体通路１２が円筒状のケース４とともに同一中心軸線上に配置され、特に金属ベローズ９の直ぐ外周側に環状の流体通路１２が同一軸線上に配置されているために、金属ベローズ９に対して衝撃波が作用しやすい。したがって、金属ベローズ９が衝撃波に対して鋭敏に反応することから、この点からも優れた減衰性能を発揮することができる。
【００３０】
第二実施例・・・
図２は、本発明の第二実施例に係る水撃防止装置１の断面を示している。当該実施例に係る水撃防止装置１は、流路の一例としての水道配管２内にて発生する水撃や脈動等の圧力変動を減衰低減させるために水道配管２に設置され、また水道配管２を開閉する開閉弁３の上流側に設置される。当該水撃防止装置１は、以下のように構成されている。
【００３１】
すなわち先ず、上記水道配管２における上流側配管（当該装置１よりも上流側の配管）２Ａに連通する入力口６および下流側配管（当該装置１よりも下流側の配管）２Ｂに連通する出力口７をそれぞれ設けたケース４が設けられており、このケース４の内部に外周側金属ベローズ９Ａおよび内周側金属ベローズ９Ｂが伸縮自在に配置されるとともに、両金属ベローズ９Ａ，９Ｂ間の空間に窒素ガス等の封入ガス１１が封入されている。また、ケース４の内部に入力口６および出力口７を連通するように流体通路１２が設けられ、この流体通路１２は、内周側金属ベローズ９Ｂの内周側に直線状に設けられている。
【００３２】
上記ケース４は、略円筒形に形成されていて、軸方向に直線状に貫通する内部空間５を有しており、この内部空間５の一端開口に入力口６が設けられるとともに他端開口に出力口７が設けられている。ケース４の内部には、内部空間５を入力口側空間５ａと出力口側空間５ｂとに仕切るようにプレート状のベローズ保持部８が設けられており、このベローズ保持部８の出力口側端面に両金属ベローズ９Ａ，９Ｂの一端がそれぞれ保持されている。両金属ベローズ９Ａ，９Ｂの他端はそれぞれ、軸方向に変位可能な遊動端９ａとされ、この遊動端９ａはベローズプレート１０により閉塞され、これにより気密化された両金属ベローズ９Ａ，９Ｂ間の環状空間に窒素ガス等の封入ガス１１が封入されている。尚、ベローズプレート１０は金属ベローズ９Ａ，９Ｂと一体に成形されていても良い。また、プレート状を呈する保持部８の中心部には、入力口６と流体通路１２とを連通させるように貫通孔状の第一連通部８ａが設けられており、ベローズプレート１０の中心部には、流体通路１２と出力口７とを連通させるように貫通孔状の第二連通部１０ａが設けられている。また、ケース４の内部において出力口７側には、金属ベローズ９Ａ，９Ｂの伸張長さを一定長さまでに制限するためのストッパ２０が設けられており、このストッパ２０は例えば、ケース４の内周に嵌着されるＣ形止め輪等によって構成されている。
【００３３】
また、上記各構成要素にあって、入力口６、内部空間５、出力口７、ベローズ保持部８、両金属ベローズ９Ａ，９Ｂ、ベローズプレート１０、第一連通部８ａ、流体通路１２および第二連通部１０ａは、円筒状のケース４とともに、同一中心軸線上に配置されており、これにより装置１全体のコンパクト化が実現されている。
【００３４】
上記水撃防止装置１は、上記したように水道配管２内にて発生する水撃や脈動等の圧力変動を減衰低減させるべく水道配管２の途中に設置され、かつ水道配管２を開閉する開閉弁３の上流側に設置されるものであって、開閉弁３を閉弁したときに配管２内に衝撃波が発生すると、これを受けて両金属ベローズ９Ａ，９Ｂが伸縮動作し、これにより衝撃波を吸収する作用を果たす。
【００３５】
上記構成の水撃防止装置１においては、円筒状のケース４が設けられ、このケース４の両端に、水道配管２における上流側配管２Ａに連通する入力口６および下流側配管２Ｂに連通する出力口７がそれぞれ設けられ、この入力口６および出力口７を連通させるようにケース４の内部に流体通路１２が設けられているために、このケース４内部に設けられた流体通路１２は、上記従来技術における分岐配管である副流路ではなく主流路の一部を構成し、この主流路に接するようにして両金属ベローズ９Ａ，９Ｂが配置されている。したがって上記構成によれば、主流路に配置された両金属ベローズ９Ａ，９Ｂが、同じく主流路に発生する衝撃波を直接受け止めて伸縮作動するために、両金属ベローズ９Ａ，９Ｂが衝撃波を受け止めやすく、よって優れた衝撃波減衰性能を発揮することができる。
【００３６】
また、上記したように当該装置１は主流路に直接設置されるために、水道配管２には分岐配管である副流路を設ける必要がない。したがってこの分、当該装置１および周辺配管についてその設置スペースを縮小することができる。
【００３７】
また、上記構成の水撃防止装置１においては、構成要素のうち、入力口６、内部空間５、出力口７、ベローズ保持部８、両金属ベローズ９Ａ，９Ｂ、ベローズプレート１０、第一連通部８ａ、流体通路１２および第二連通部１０ａが円筒状のケース４とともに同一中心軸線上に配置され、特に両金属ベローズ９Ａ，９Ｂの直ぐ内周側に流体通路１２が同軸上に配置されているために、両金属ベローズ９Ａ，９Ｂに対して衝撃波が作用しやすい。したがって、両金属ベローズ９Ａ，９Ｂが衝撃波に対して鋭敏に反応することから、この点からも優れた減衰性能を発揮することができる。
【００３８】
第三実施例・・・
上記第一および第二実施例においてはそれぞれ、ケース４の両端部に接続用のネジ部４ａが設けられて、このネジ部４ａをもってケース４が上流側配管２Ａおよび下流側配管２Ｂに接続される構成とされているが、本発明の水撃防止装置は当該水撃防止装置の設置箇所にビルトイン方式にて設置されるものであっても良く、以下にその例を示す。
【００３９】
すなわち、図３に示すように、当該第三実施例に係る水撃防止装置１は、流路の一例としての水道配管２内にて発生する水撃や脈動等の圧力変動を減衰低減させるために水道配管２に設置され、また水道配管２を開閉する開閉弁３の上流側に設置される。また当該実施例に係る水撃防止装置１は、一対のハウジング１３，１４間に設けた円筒状の設置空間１５内にビルトイン方式にて設置されるものであって、以下のように構成されている。尚、一方のハウジング１４には、設置空間１５の円筒面１５ａに開口する水道配管の上流側開口１６と、設置空間１５の端面１５ｂに開口する下流側開口１７とが設けられている。
【００４０】
すなわち先ず、上記設置空間１５内に挿入されるケース４が設けられており、このケース４の内部に金属ベローズ９が伸縮自在に配置されるとともに、金属ベローズ９の内部に窒素ガス等の封入ガス１１が封入されている。
【００４１】
上記ケース４は、設置空間１５の一端部に圧入または嵌合等の手段により固定される円板状の取付部１８と、この取付部１８の一端に設けられた周壁部１９ａおよび端壁部１９ｂを備えた有底円筒状の中空ケース部１９とを有しており、これらによって囲まれる内部空間５に金属ベローズ９が伸縮自在に配置されている。中空ケース部１９における円筒状の周壁部１９ａには、上記ハウジング１４の内面に設けた上流側開口１６に対向するように入力口６が設けられており、平面状の端壁部１９ｂには、下流側開口１７に対向するように出力口７が設けられている。尚、入力口６は、円周上一箇所に上流側開口１６を設けた設置空間１５に対するケース４の設置角度が限定されないよう、複数が等配状に設けられている。端壁部１９ｂは、金属ベローズ９の伸張長さを一定長さまでに制限するためのストッパとしても機能する。
【００４２】
金属ベローズ９は、その一端をケース４の取付部１８端面に固定され、その他端を軸方向に変位可能な遊動端９ａとされている。遊動端９ａはベローズプレート１０により閉塞され、これにより気密化された金属ベローズ９の内部に窒素ガス等の封入ガス１１が封入されている。ベローズプレート１０は金属ベローズ９と一体に成形されていても良い。金属ベローズ９の外周側であって金属ベローズ９および周壁部１９ａの間の環状空間ならびにベローズプレート１０および端壁部１９ｂ間の空間は一連の流体通路１２とされ、ここを流体すなわち水道水が通過可能とされている。
【００４３】
すなわち、ハウジング１４の内面に設けた上流側開口１６から設置空間１５内に流入した水道水は、一部は中空ケース部１９の外側を通ってそのまま下流側開口１７に流れてゆくが、一部は、中空ケース部１９の周壁部１９ａに設けた入力口６から中空ケース部１９の内部に流入し、流体通路１２を通り、出力口７から出て、下流側開口１７に流れてゆく。したがって、水道配管内に発生する衝撃波が金属ベローズ９に対して作用することが可能であり、これにより上記第一または第二実施例と同じ作用効果を発揮することが可能とされている。
【００４４】
また、上記構成の水撃防止装置１は、ハウジング１３，１４に設けた設置箇所にビルトイン方式にて設置されるものであることから、設置スペースを縮小することができ、設置作業を容易化することもできる。
【００４５】
尚、上記したように、本発明の水撃防止装置は、水道配管等の圧力配管のみでなく、バルブ内部の流路やタンク内部の流路等に幅広く設置可能である。図４はその一例として、水撃防止装置１を温水洗浄弁座設備におけるバルブアッセンブリ３１に組み込んだ状態を示しており、同アッセンブリ３１における２次圧力調整弁３２と止水弁（開閉弁）３３との間の流路２に上記第三実施例に係る水撃防止装置１が設置されている。
【００４６】
更にまた、流路内の水が凍結する場合には、その体積膨張により配管部材に負荷が作用して応力が発生することが懸念される。流路内に水撃防止装置が取り付けられている場合、当該装置は水の凍結により全方向から力を受けることになるが、その構成要素である金属ベローズは構造上、軸方向に最も変形し易いことから、ベローズが軸方向に縮むことによって、水の凍結により発生した体積膨張を吸収することができる。また、水撃防止装置がインライン式にて流路内に設置される場合には、装置は外気温の影響を受けにくく、凍結が最終段階になることもあり、結果、凍結防止機能が有効に働くことも期待される。
【図面の簡単な説明】
【００４７】
【図１】本発明の第一実施例に係る水撃防止装置の断面図
【図２】本発明の第二実施例に係る水撃防止装置の断面図
【図３】本発明の第三実施例に係る水撃防止装置の断面図
【図４】本発明の水撃防止装置の使用状態の一例を示すバルブアッセンブリの断面図
【符号の説明】
【００４８】
１  水撃防止装置
２  水道配管（流路）
２Ａ  上流側配管（上流側流路）
２Ｂ  下流側配管（下流側流路）
３  開閉弁
４  ケース
４ａ  ネジ部
５  内部空間
５ａ  入力口側空間
５ｂ  出力口側空間
６  入力口
７  出力口
８  ベローズ保持部
８ａ，１０ａ  連通部
９  金属ベローズ
９Ａ  外周側金属ベローズ
９Ｂ  内周側金属ベローズ
９ａ  遊動端
１０  ベローズプレート
１１  ガス
１２  流体通路
１３，１４  ハウジング
１５  設置空間
１５ａ  円筒面
１５ｂ  端面
１６  上流側開口
１７  下流側開口
１８  取付部
１９  中空ケース部
１９ａ  周壁部
１９ｂ  端壁部
２０  ストッパ
３１  バルブアッセンブリ
３２  ２次圧力調整弁
３３  止水弁
【図１】
2006194367.tif 000003
【図２】
2006194367.tif 000004
【図３】
2006194367.tif 000005
【図４】
2006194367.tif 000006